(57)【要約】【課題】ラベル用紙１０を識別する製品番号などの媒体識別コードＩＤを取得することによってプリンター２を設定できるプリンター２の設定方法を提案すること。【解決手段】情報端末３において、ラベル用紙１０を識別するロール紙ＩＤ（媒体識別コード）を取得し、ロール紙ＩＤを、ロール紙ＩＤとラベル用紙１０の媒体情報とを関連付けた形態で記憶保持するサーバー４に送信する。また、情報端末３において、サーバー４から、ロール紙ＩＤに関連付けられた媒体情報を受信し、媒体情報に基づいてプリンター２を設定する設定情報を生成して当該設定情報をプリンター２に送信する。【選択図】図４
2017117272.tif 000002
【特許請求の範囲】
【請求項１】
サーバーと通信する情報端末において、印刷媒体を識別する媒体識別コードを取得し、
前記媒体識別コードを、前記媒体識別コードと前記印刷媒体の媒体情報とを関連付けた形態で記憶保持する前記サーバーに送信し、
前記サーバーから、前記媒体識別コードに関連付けられた前記媒体情報を受信し、
前記媒体情報に基づいてプリンターを設定する設定情報を生成して当該設定情報を前記プリンターに送信することを特徴とするプリンターの設定方法。
【請求項２】
請求項１において、
前記情報端末において前記プリンターの機種を識別する機種情報を取得し、
前記機種情報および前記媒体情報に基づいて前記設定情報を生成することを特徴とするプリンターの設定方法。
【請求項３】
請求項２において、
前記サーバーにおいて、前記媒体識別コードと、当該媒体識別コードにより識別される印刷媒体を使用可能な対応プリンターを特定する対応機種情報と、を関連付けた形態で記憶保持しておき、
前記サーバーから、前記媒体情報と前記対応機種情報とを受信し、
前記対応機種情報で特定される前記対応プリンターに前記機種情報により識別される前記プリンターが含まれる場合に、前記機種情報および前記媒体情報に基づいて前記設定情報を生成し、
前記対応機種情報で特定される前記対応プリンターに前記機種情報により識別される前記プリンターが含まれていない場合には、所定の報知を実行することを特徴とするプリンターの設定方法。
【請求項４】
プリンターと、サーバーと、前記プリンターおよび前記サーバーと通信可能な情報端末と、有する印刷システムにおいて、
前記サーバーは、印刷媒体を識別する媒体識別コードと当該印刷媒体の媒体情報とを関連付けた形態で記憶保持する媒体情報テーブルと、前記媒体識別コードを受信すると当該媒体識別コードに関連付けられた媒体情報を送信する媒体情報供給部と、を備え、
前記情報端末は、前記媒体識別コードを取得するコード取得部と、前記コード取得部が取得した前記媒体識別コードを前記サーバーに送信するコード送信部と、前記媒体情報を受信する媒体情報取得部と、前記媒体情報を受信すると当該媒体情報に基づいて前記プリンターを設定する設定情報を生成する設定情報生成部と、生成された前記設定情報を前記プリンターに送信する設定情報送信部と、を備え、
前記プリンターは、前記設定情報を受信すると当該設定情報を自己の設定として反映する設定部を備えることを特徴とする印刷システム。
【請求項５】
請求項４において、
前記情報端末は、前記プリンターの機種を示す機種情報を取得する機種情報取得部を備え、前記設定情報生成部は、前記媒体情報および前記機種情報に基づいて前記設定情報を生成することを特徴とする印刷システム。
【請求項６】
請求項５において、
前記媒体情報テーブルは、印刷媒体を識別する媒体識別コードと当該印刷媒体を使用可能な対応プリンターを特定する対応機種情報とを関連付けて記憶保持しており、
前記媒体情報には、前記対応機種情報が含まれており、
前記情報端末は、前記媒体情報および前記機種情報を取得し、前記対応機種情報で特定される前記対応プリンターに前記機種情報により識別される前記プリンターが含まれる場合に、前記機種情報および前記媒体情報に基づいて前記設定情報を生成し、前記対応機種情報に特定される前記対応プリンターに前記機種情報により識別される前記プリンターが含まれていない場合に所定の報知を行う報知部を備えることを特徴とする印刷システム。
【請求項７】
情報端末で動作して当該情報端末を、
印刷媒体を識別する媒体識別コードを取得するコード取得部と、
取得した前記媒体識別コードをサーバーに送信するコード送信部と、
前記サーバーへの前記媒体識別コードの送信に対する返信として前記サーバーから送信される媒体情報を受信する媒体情報取得部と、
前記媒体情報を受信すると、当該媒体情報に基づいてプリンターを設定する設定情報を生成する設定情報生成部と、
生成された前記設定情報を前記プリンターに送信する設定情報送信部と、に機能させることを特徴とするプリンター設定プログラム。
【発明の詳細な説明】
【技術分野】
【０００１】
本発明は、印刷に用いる印刷媒体に適合した設定をプリンターに施すプリンターの設定方法に関する。また、プリンターの設定が容易な印刷システム、および、情報端末で動作するプリンター設定プログラムに関する。
【背景技術】
【０００２】
プリンターにセットする印刷媒体を変更する際には、変更後の印刷媒体の用紙サイズや用紙種類に対応させてプリンターの印刷設定を変更する必要がある。特許文献１では、印刷媒体を包装する包装紙の表面に当該印刷媒体の用紙サイズ情報や用紙種類情報を担持したバーコードが印刷されている。プリンターはバーコードリーダーを備えており、バーコードリーダーによってバーコードを読み取ると、プリンターはセットされた印刷媒体の用紙サイズ情報および用紙種類情報を取得する。
【先行技術文献】
【特許文献】
【０００３】
【特許文献１】特開２００３−８９４４３号公報
【発明の概要】
【発明が解決しようとする課題】
【０００４】
特許文献１の技術では、用紙サイズ情報や用紙種類情報などプリンターの印刷設定に必要な媒体情報を、手作業によって、プリンターに入力する必要がない。従って、プリンターの設定を簡易に行うことができる。しかし、特許文献１に記載の技術では、印刷媒体やその包装紙に印刷媒体を識別する製品名（製品番号）などの媒体識別コードを保持させておくだけではなく、プリンターの印刷設定に必要な印刷媒体の媒体情報までも保持させておかなければならないという問題がある。
【０００５】
本発明の課題は、このような点に鑑みて、印刷媒体を識別する製品番号などの媒体識別コードを取得することによってプリンターを設定できるプリンターの設定方法を提案することにある。また、このような設定方法によりプリンターを設定する印刷システムを提供することにある。さらに、印刷媒体を識別する製品番号などの媒体識別コードを取得することによってプリンターを設定できるプリンター設定プログラムを提供することにある。
【課題を解決するための手段】
【０００６】
上記の課題を解決するために、本発明のプリンターの設定方法は、情報端末において、印刷媒体を識別する媒体識別コードを取得し、前記媒体識別コードを、前記媒体識別コードと前記印刷媒体の媒体情報とを関連付けた形態で記憶保持するサーバーに送信し、前記サーバーから、前記媒体識別コードに関連付けられた前記媒体情報を受信し、前記媒体情報に基づいてプリンターを設定する設定情報を生成して当該設定情報を前記プリンターに送信することを特徴とする。
【０００７】
本発明によれば、印刷媒体、或いは、印刷媒体を包装する包装紙に記載された製品番号などの媒体識別コードを情報端末からサーバーに送信することにより、情報端末では当該印刷媒体の用紙サイズ情報や用紙種類情報などプリンターの設定に必要な媒体情報を取得できる。従って、印刷媒体やその包装紙から媒体情報を取得する必要がなく、予め印刷媒体やその包装紙に媒体情報を保持させておく必要もない。また、本発明では、情報端末は、サーバーから取得した媒体情報に基づいてプリンターを設定する設定情報を生成して当該プリンターに送信する。これにより、プリンターでは、印刷媒体に適合した印刷設定を取得できる。よって、プリンターは自己の設定を印刷媒体に適したものとすることができる。
【０００８】
本発明において、前記設定情報を生成する前に、前記情報端末において前記プリンターの機種を識別する機種情報を取得し、前記機種情報および前記媒体情報に基づいて前記設定情報を生成するものとすることができる。このようにすれば、情報端末において、プリンターの機種に適合した設定情報を生成できる。
【０００９】
本発明において、前記サーバーにおいて、前記媒体識別コードと、当該媒体識別コードにより識別される印刷媒体を使用可能なプリンターを特定する対応機種情報と、を関連付けた形態で記憶保持しておき、前記サーバーから、前記媒体情報と前記対応機種情報とを受信し、前記機種情報を取得すると、前記機種情報と前記対応機種情報とを比較して、前記対応機種情報に前記機種情報が含まれていない場合には、報知するものとすることができる。このようにすれば、プリンターで使用することができない印刷媒体の設定をプリンターに施してしまうことを防止或いは抑制できる。
【００１０】
次に、本発明は、プリンターと、サーバーと、前記プリンターおよび前記サーバーと通信可能な情報端末と、有する印刷システムにおいて、前記サーバーは、印刷媒体を識別する媒体識別コードと当該印刷媒体の媒体情報とを関連付けた形態で記憶保持する媒体情報テーブルと、前記媒体識別コードを受信すると当該媒体識別コードに関連付けられた媒体情報を送信する媒体情報供給部と、を備え、前記情報端末は、前記媒体識別コードを取得するコード取得部と、前記コード取得部が取得した前記媒体識別コードを前記サーバーに送信するコード送信部と、前記媒体情報を受信する媒体情報取得部と、前記媒体情報を受信すると当該媒体情報に基づいて前記プリンターを設定する設定情報を生成する設定情報生成部と、生成された前記設定情報を前記プリンターに送信する設定情報送信部と、を備え、前記プリンターは、前記設定情報を受信すると当該設定情報を自己の設定として反映する設定部を備えることを特徴とする。
【００１１】
本発明によれば、製品番号などの媒体識別コードを情報端末で取得してサーバーに送信すると、情報端末では用紙サイズ情報や用紙種類情報などプリンターの設定に必要な媒体情報を取得できる。従って、印刷媒体やその包装紙から媒体情報を取得する必要がなく、予め印刷媒体やその包装紙に媒体情報を保持させておく必要もない。また、本発明では、情報端末は、サーバーから取得した媒体情報に基づいてプリンターを設定する設定情報を生成して当該プリンターに送信する。これにより、プリンターでは、印刷媒体に適合した印刷設定を取得できる。よって、プリンターは自己の設定を印刷媒体に適したものとすることができる。
【００１２】
本発明において、前記情報端末は、前記プリンターの機種を示す機種情報を取得する機種情報取得部を備え、前記設定情報生成部は、前記媒体情報および前記機種情報に基づいて前記設定情報を生成するものとすることができる。このようにすれば、情報端末において、プリンターの機種に適合した設定情報を生成できる。
【００１３】
本発明において、前記媒体情報テーブルは、印刷媒体を識別する媒体識別コードと当該印刷媒体を使用可能なプリンターを特定する対応機種情報とを関連付けて記憶保持しており、前記媒体情報には、前記対応機種情報が含まれており、前記情報端末は、前記媒体情報および前記機種情報を取得すると、前記機種情報と前記対応機種情報とを比較して、前記対応機種情報に前記機種情報が含まれていない場合に報知を行う報知部を備えることが望ましい。このようにすれば、プリンターで使用することができない印刷媒体の設定をプリンターに施してしまうことを防止或いは抑制できる。
【００１４】
次に、本発明のプリンター設定プログラムは、情報端末で動作して当該情報端末を、印刷媒体を識別する媒体識別コードを取得するコード取得部と、取得した前記媒体識別コードをサーバーに送信するコード送信部と、前記サーバーへの前記媒体識別コードの送信に対する返信として前記サーバーから送信される媒体情報を受信する媒体情報取得部と、前記媒体情報を受信すると、当該媒体情報に基づいてプリンターを設定する設定情報を生成する設定情報生成部と、生成された前記設定情報を前記プリンターに送信する設定情報送信部と、に機能させることを特徴とする。
【００１５】
本発明によれば、印刷媒体、或いは、印刷媒体を包装する包装紙に記載された製品番号などの媒体識別コードを情報端末で取得してサーバーに送信することにより、情報端末では、当該印刷媒体の用紙サイズ情報や用紙種類情報などプリンターの設定に必要な媒体情報を取得できる。従って、印刷媒体やその包装紙から媒体情報を取得する必要がなく、予め印刷媒体やその包装紙に媒体情報を保持させておく必要もない。また、本発明では、情報端末は、サーバーから取得した媒体情報に基づいてプリンターを設定する設定情報を生成して当該プリンターに送信する。これにより、プリンターででは、印刷媒体に適合した印刷設定を取得できる。よって、プリンターは自己の設定を印刷媒体に適したものとすることができる。
【図面の簡単な説明】
【００１６】
【図１】印刷システムの概略システム構成図とラベル用紙の説明図である。
【図２】印刷システムの制御系のブロック図である。
【図３】プリンターの設定動作のフローチャートである。
【図４】設定動作において情報端末で表示される画面の説明図である。
【発明を実施するための形態】
【００１７】
以下に図面を参照しながら本発明の実施形態である印刷システムを説明する。
【００１８】
（印刷システム）
図１（ａ）は印刷システムの概略システム構成図であり、図１（ｂ）は印刷システムで使用されるラベル用紙の説明図である。図１（ａ）に示すように、印刷システム１は、プリンター２と、情報端末３と、サーバー４を有する。プリンター２は、長尺状の台紙８にラベル９が一定間隔で剥離可能に貼り付けられたラベル用紙１０に印刷を行うラベルプリンターである。プリンター２は印刷ヘッド１１による印刷位置を経由する紙搬送路に沿ってラベル用紙１０を搬送して、印刷位置においてラベル９に印刷を施す。情報端末３は、タッチパネル１３を備えるタブレット端末である。情報端末３はプリンター２との間で通信を行うことが可能である。また、情報端末３は、インターネットなどのネットワーク１５を介してサーバー４との間で通信を行うことが可能である。
【００１９】
プリンター２にセットされるラベル用紙１０は、図１（ｂ）に示すように、ロール紙であり、包装箱１７に収納された状態で提供される。包装箱１７の側面には、収納するラベル用紙１０を識別するロール紙ＩＤ（媒体識別情報）１８が文字で印刷されている。本例では、ロール紙ＩＤ１８は製品番号であり、８桁の数字である。また、包装箱１７の側面には、ロール紙ＩＤを情報として保持する（担持する）２次元コード１９が印刷されている。２次元コード１９はバーコードやＱＲコード（登録商標）である。
【００２０】
ここで、プリンター２は、情報端末３から設定情報が供給されると、この設定情報に基づいて自己の設定情報を更新する。また、プリンター２は情報端末３から印刷データが供給されると、印刷データに基づいてラベル用紙１０に印刷を施す。
【００２１】
（制御系）
図２は印刷システム１の制御系の概略ブロック図である。図３は情報端末３のタッチパネル１３に表示される画面の説明図である。サーバー４はＣＰＵやメモリーを備えるサーバー制御部２１を中心に構成されている。サーバー制御部２１には、情報端末３との間でネットワーク１５を介した通信を行うためのサーバー通信部２２が接続されている。また、サーバー制御部２１には記憶部２３が接続されている。記憶部２３には媒体情報テーブル２４が記憶保持されている。
【００２２】
媒体情報テーブル２４は、ロール紙ＩＤ１８と、ロール紙ＩＤ１８により識別される印刷媒体の媒体情報とを対応付けた形態で記憶するデータベースである。ロール紙ＩＤ１８に対応付けられる媒体情報には、印刷が施されるラベル９の材質を示す用紙種類情報が含まれる。プリンター２に用いられるラベル９の材質としては、光沢紙、マット紙、普通紙などが挙げられる。また、媒体情報には用紙サイズ情報が含まれる。用紙サイズ情報には、ラベル９の幅及び長さ、ラベル９の貼付間隔などが含まれる。さらに、媒体情報には、台紙８におけるラベル９の位置を検出するためのラベル位置検出方法情報が含まれる。ラベル９の位置を検出する方法としては、台紙８に印刷されたブラックマークを検出する方法や、ラベル９とラベル９間のギャップとで光の透過率が異なることを利用してラベル９の位置を検出する方法などが用いられている。ラベル位置検出方法情報は、ロール紙ＩＤ１８により識別される印刷媒体が、いずれの方法でラベル９が検出され得る媒体であるかを示す。また、媒体情報にはラベル９の形態を示すフォーム情報が含まれる。フォーム情報は、ラベル用紙１０に貼り付けられたラベル９がダイカットされているか（ダイカットラベルであるか）、または、ラベル９がダイカットされていない連続ラベルであるかを示す。さらに、媒体情報には、ロール紙ＩＤ１８により識別される印刷媒体を使用可能なプリンター２（対応プリンター）の機種を示す対応機種情報が含まれる。
【００２３】
サーバー制御部２１は媒体情報供給部２５を備える。媒体情報供給部２５は、サーバー通信部２２を介して情報端末３からロール紙ＩＤ１８を受信すると、媒体情報テーブル２４を参照して、ロール紙ＩＤ１８に対応付けられた媒体情報を取得する。また、媒体情報供給部２５は、取得した媒体情報を、サーバー通信部２２を介してロール紙ＩＤ１８の送信元である情報端末３に送信する。
【００２４】
情報端末３は、ＣＰＵやメモリーを備える端末制御部３１を中心に構成されている。端末制御部３１には、ネットワーク１５を介した通信を行う第１通信部３２が接続されている。また、端末制御部３１には、近距離無線通信を行う第２通信部３３が接続されている。本例では、第２通信部３３による近距離無線通信の通信規格はＮＦＣ（Ｎｅａｒ  Ｆｉｅｌｄ  Ｃｏｍｍｕｎｉｃａｔｉｏｎ）である。なお、第２通信部３３は、赤外線通信、Ｂｌｕｅｔｏｏｔｈ（登録商標）などにより通信を行うものとすることができる。また、端末制御部３１には、不図示のドライバーを介して、タッチパネル１３およびカメラ３４が接続されている。
【００２５】
端末制御部３１は、機能構成としてプリンター設定部３６と、ラベル印刷部３７と、を有する。さらに、プリンター設定部３６には、機種情報取得部４１、ロール紙ＩＤ取得部（コード取得部）４２、ロール紙ＩＤ送信部（コード送信部）４３、媒体情報取得部４４、報知部４５、設定情報生成部４６、および、設定情報送信部４７が含まれる。ラベル印刷部３７には、印刷データ生成部４９およびプリンター制御部６５が含まれる。これらの機能構成は端末制御部３１が所定のプログラムを実行することで実現される。
【００２６】
機種情報取得部４１は、プリンター２との間で第２通信部３３を介した近距離無線通信を制御し、プリンター２に当該プリンター２の機種を示す機種情報を問い合わせ、プリンター２から供給される機種情報を取得する。
【００２７】
ロール紙ＩＤ取得部４２は、タッチパネル１３を制御し、ロール紙ＩＤ１８を取得するためのロール紙ＩＤ取得画面５３を表示する。図３（ａ）はタッチパネル１３に表示されるロール紙ＩＤ取得画面５３の説明図である。図３（ａ）に示すように、ロール紙ＩＤ取得画面５３は、ロール紙ＩＤ１８が入力される入力欄５４を備える。また、ロール紙ＩＤ取得画面５３はカメラ３４を起動する指示を受け付けるカメラ起動ボタン５５を備える。
【００２８】
ここで、操作者は、入力欄５４に８桁の数字を入力する操作と、カメラ起動ボタン５５を選択する操作とのいずれかの操作を、タッチパネル１３を介して行う。操作者によって入力欄５４に８桁の数字が入力される場合、ロール紙ＩＤ取得部４２は当該８桁の数字をロール紙ＩＤ１８として取得する。また、カメラ起動ボタン５５が選択された場合にはロール紙ＩＤ取得部４２はカメラ３４を制御し起動させる。そして、操作者がカメラ３４によって２次元コード１９が撮影されると、ロール紙ＩＤ取得部は撮影された２次元コード１９をデコードして、２次元コード１９に担持（保持）されていた値をロール紙ＩＤ１８として取得する。
【００２９】
ロール紙ＩＤ送信部４３は、ロール紙ＩＤ取得部４２によって取得されたロール紙ＩＤ１８を、第１通信部３２を介して、サーバー４に送信する。
【００３０】
媒体情報取得部４４は、サーバー４から送信される媒体情報を、第１通信部３２を介して受信する。ここで、サーバー４から送信される媒体情報は、媒体情報テーブル２４において、ロール紙ＩＤ送信部４３によって送られるロール紙ＩＤ１８に対応づけられた媒体情報である。また、報知部４５は、媒体情報を受信すると、タッチパネル１３を制御して媒体情報確認画面５６を表示する。図３（ｂ）は、タッチパネル１３に表示される媒体情報確認画面５６の説明図である。図３（ｂ）に示すように、媒体情報確認画面５６は媒体情報表示欄５７を備える。媒体情報表示欄５７には媒体情報が表示される。
【００３１】
報知部４５は、機種情報取得部４１が取得している機種情報と媒体情報取得部４４により取得された媒体情報に含まれる対応機種情報とを比較して、対応機種情報に機種情報が含まれているか否かを判断する。対応機種情報に機種情報が含まれていないと判断される場合に報知部４５は、ロール紙ＩＤ１８により識別されるラベル用紙１０、すなわち、プリンター２にセットしようとしているロール紙が当該プリンター２に使用できない可能性があることを報知する報知画面を表示する。媒体情報取得部４４により媒体情報が取得されたタイミングで、対応機種情報に機種情報が含まれているか否かの判断がなされる場合には、当該報知画面は上述の媒体情報確認画面５６を表示する動作より前に表示されることが好ましい。
【００３２】
設定情報生成部４６は、媒体情報取得部４４によりサーバー４から取得された媒体情報（用紙種類情報、用紙サイズ情報、ラベル位置検出方法情報、フォーム情報）と、機種情報取得部４１により取得される機種情報とに基づいてプリンター２に設定情報を生成する。すなわち、設定情報生成部４６によって、ロール紙ＩＤ１８により識別されるラベル用紙１０の印刷に適した印刷設定は、機種情報により特定されるプリンター２で解釈可能な設定情報（コマンド）として生成される。
【００３３】
設定情報送信部４７は、第２通信部３３を制御して生成された設定情報をプリンター２に送信する。また、設定情報送信部４７は、第２通信部３３を制御してプリンター２から、当該設定情報がプリンター２の設定として反映された旨の情報（設定完了報告）を受信する。そして、設定情報送信部４７は、プリンター２から設定完了報告を受信すると、タッチパネル１３を制御して、タッチパネル１３に設定が完了したことを示す設定完了画面６０を表示する。図３（ｃ）はタッチパネル１３に表示される設定完了画面の説明図である。
【００３４】
印刷データ生成部４９は、タッチパネル１３に印刷データ作成用画面を表示して、操作者によってラベル９に印刷する情報の入力を促す。また、印刷データ生成部４９は、印刷データ作成画面に入力された情報に基づいて印刷データを生成し、第２通信部３３を制御して生成された印刷データをプリンター２に送信する。当該印刷データを受信したプリンター２は、印刷データに基づき印刷を実行する。
【００３５】
プリンター２は、ＣＰＵやメモリーを備えるプリンター制御部６５を中心に構成されている。プリンター制御部６５には、近距離無線通信により通信を行うプリンター通信部６６が接続される。プリンター通信部６６は情報端末３の第２通信部３３と同一の通信規格で通信を行う。また、プリンター制御部６５には、プリンター２の設定情報を記憶保持する設定記憶部６７が接続される。
【００３６】
また、プリンター制御部６５には、不図示のドライバーを介して印刷ヘッド１１と搬送モーター７０が接続される。搬送モーター７０は、プリンター２にセットされたラベル用紙１０を、印刷ヘッド１１による印刷位置を経由する紙搬送路に沿って搬送する搬送機構の駆動源である。さらに、プリンター制御部６５には、ブラックマーク検出器７１とラベルギャップ検出器７２が接続されている。ブラックマーク検出器７１は、ラベル用紙１０の台紙８に印刷されたブラックマークを光学的に検出する反射型のフォトセンサである。ラベルギャップ検出器７２は、台紙８におけるラベル９とラベル９の間の部分を光学的に検出する透過型のフォトセンサである。
【００３７】
プリンター制御部６５は、プリンター通信部６６を介して外部の機器から機種情報の問い合わせを受けると、プリンター通信部６６を制御して自己の機種情報を外部の機器に返信する。
【００３８】
また、プリンター制御部６５は機能構成として設定部７５と印刷制御部７６とを備える。これらの機能は所定のプログラムがプリンター制御部６５により実行されることで実現される。設定部７５は、プリンター通信部６６を介して情報端末３からの設定情報を受信すると、当該設定情報を自己の設定として反映する。すなわち、設定部７５は、受信した設定情報を設定記憶部６７に記憶し、新たな設定情報として保持する。また、設定部７５は、受信した設定情報を自己の設定として反映する処理が完了すると、プリンター通信部６６を制御して設定が完了した旨の設定完了報告を情報端末３に送信する。
【００３９】
印刷制御部７６は、印刷ヘッド１１、搬送モーター７０、及びブラックマーク検出部７１を制御して、印刷データが供給されると、設定記憶部６７に保持される設定情報に基づいて印刷データの印刷を行う。例えば、設定情報に含まれるラベル位置検出方法情報がブラックマーク検出方法によりラベル９の位置を検出するものである場合には、ブラックマーク検出器７１からの出力に基づいて搬送モーター７０を駆動して、ラベル９を印刷位置に頭出する。さらに印刷制御部７６は、設定情報に含まれる用紙サイズ情報および用紙種類情報に基づいて印刷ヘッド１１および搬送モーター７０を駆動してラベル９に印刷データを印刷する。また、例えば、設定情報に含まれるラベル位置検出方法情報がギャップ検出方法によりラベル９の位置を検出するものである場合には、ラベルギャップ検出器７２からの出力に基づいて搬送モーター７０を駆動してラベル９を印刷位置に頭出する。さらに、印刷制御部７６は、設定情報に含まれる用紙サイズ情報および用紙種類情報に基づいて印刷ヘッド１１および搬送モーター７０を駆動してラベル９に印刷データを印刷する。
【００４０】
（プリンター設定動作）
図４はプリンター設定動作のフローチャートである。操作者によってプリンター２の設定が行われる際には、情報端末３においてプリンター設定部３６が動作される。
【００４１】
まず、情報端末３は、設定を行う対象のプリンター２の機種情報、および当該プリンター２にて使用されるロール紙ＩＤを取得する（ステップＳＴ１）。このステップにおいて、情報端末３は、操作者によって、第２通信部３３の通信規格でプリンター２との通信が可能な位置に接近される。これにより機種情報取得部４１が第２通信部３３を制御して、情報端末３にプリンター２の機種情報が取得される。また、操作者によって、ロール紙ＩＤ取得画面５３の入力欄５４へのロール紙ＩＤ１８の入力、もしくはカメラ３４を用いた２次元コード１９の撮影がなされる。より詳細には、機種情報取得部４１の動作によりタッチパネル１３にはロール紙ＩＤ取得画面５３が表示され、操作者は当該ロール紙ＩＤ取得画面５３の表示に従って、情報端末３にラベル用紙１０のロール紙ＩＤ１８を取得させる。すなわち、操作者は、入力欄５４にロール紙ＩＤ１８を入力する。或いは、操作者は情報端末３のカメラ３４によって包装箱１７の２次元コード１９を撮影する。これにより、情報端末３にロール紙ＩＤ１８が取得される。
【００４２】
次に、情報端末３は、ステップＳＴ１において取得されたロール紙ＩＤ１８をサーバー４に送信する（ステップＳＴ２）。このとき、ロール紙ＩＤ送信部４３により第１通信部３２が制御される。ロール紙ＩＤ１８を受信したサーバー４は、ロール紙ＩＤ１８に基づいて媒体情報テーブル２４を参照して、ロール紙ＩＤ１８に対応付けられた媒体情報を取得する（ステップＳＴ３）。そして、サーバー４は、この媒体情報を情報端末３に送信する（ステップＳＴ４）。
【００４３】
情報端末３は媒体情報取得部４４の制御により、ステップＳＴ４にてサーバー４から送信された媒体情報を取得する（ステップＳＴ５）。情報端末３は、報知部４５の制御により、ステップＳＴ５にて受信した媒体情報に含まれる対応機種情報と、ステップＳＴ１にて取得された機種情報とを比較して、ステップＳＴ２にて送信したロール紙ＩＤ１８によって識別されるラベル紙１０が、プリンター２に適合するものであるか否かを判断する。当該対応機種情報に機種情報が含まれ、ラベル紙１０がプリンター２に適合するものであると判断される場合に、報知部４５は媒体情報確認画面５６をタッチパネル１３に表示して、操作者に取得した媒体情報の確認を求める。ここで、当該対応機種情報に機種情報が含まれず、ラベル用紙１０がプリンター２に適合するものではないと判断される場合には、タッチパネル１３に表示される報知画面に当該判断がなされた旨を示す情報が含まれ、（ステップＳＴ６）。
【００４４】
その後、操作者によってタッチパネルの所定のボタンが選択される、所定の時間が経過するなどすると、情報端末３は設定情報生成部４６の制御により、媒体情報および機種情報に基づいて、プリンター２を設定するための設定情報を生成する。そして、情報端末３は、この設定情報をプリンター２に送信する（ステップＳＴ７）。本例では、設定情報を生成する前に媒体情報確認画面５６を表示するステップＳＴ６を実行して、媒体情報の内容の確認を操作者に促しているが、ステップＳＴ６と並行して、もしくはステップＳＴ６より前にステップＳＴ７が実行されても良い。
【００４５】
プリンター２はステップＳＴ７において情報端末３から送信される設定情報を受信する（ステップＳＴ８）。プリンター２はステップＳＴ８において受信した設定情報で、設定記憶部６７に記憶保持されている設定情報を書き換える。すなわち、この処理後に設定記憶部６７に記憶保持される設定情報は、ステップＳＴ８において受信した設定情報を反映したものとなる。従って、プリンター２には、ロール紙ＩＤ１８により識別されるラベル用紙１０の印刷に適した設定が保持される（ステップＳＴ９）。プリンター２は、ステップＳＴ９の処理が完了すると、設定完了報告を情報端末３に送信する。プリンター２から設定情報を自己の設定として反映した旨の返信を受信した情報端末３は、設定情報送信部４７の制御によりタッチパネル１３に設定完了画面６０を表示する。これにより、プリンター２の設定が完了する（ステップＳＴ１０）。
【００４６】
（作用効果）
本例では、ラベル用紙１０を包装する包装箱１７に記載された製品番号などのロール紙ＩＤ１８を情報端末３からサーバー４に送信することにより、情報端末３では当該ラベル用紙１０の用紙サイズ情報や用紙種類情報などプリンター２の設定に必要な媒体情報を取得できる。従って、ラベル用紙１０や包装箱１７から媒体情報を取得する必要がなく、予めラベル用紙１０やその包装箱１７に媒体情報を保持させておく必要もない。
【００４７】
また、本例では、情報端末３は、サーバー４から取得した媒体情報に基づいてプリンター２を設定する設定情報を生成して当該プリンター２に送信する。これにより、プリンター２では、ラベル用紙１０に適合した印刷設定を取得できる。よって、プリンター２は自己の設定をラベル用紙１０に適したものとすることができる。
【００４８】
さらに、本例では、設定情報を生成する前に、情報端末３においてプリンター２の機種を識別する機種情報を取得し、機種情報および媒体情報に基づいて設定情報を生成する。従って、情報端末３において、プリンター２の機種に適合した設定情報を生成できる。
【００４９】
また、本例では、サーバー４からの媒体情報に含まれる対応機種情報と、プリンター２から取得した機種情報とを比較して、対応機種情報に機種情報が含まれていない場合には報知する。従って、プリンター２で使用することができないラベル用紙１０の設定をプリンター２に施してしまうことを防止或いは抑制できる。
【００５０】
（その他の実施の形態）
製品番号などのロール紙ＩＤ１８はラベル用紙１０に印刷されている場合もある。
【００５１】
なお、情報端末３とプリンター２との間の通信は、近距離無線通信に限られるものではない。例えば、ＩＥＥＥｌ８０２．１１など通信規格による無線通信、或いは、イーサネット（登録商標）などの有線通信により情報端末３とプリンター２が通信可能でもよい。この場合には、情報端末３は、これらの間の通信の確立に用いるプリンター２のホスト名からプリンター２の機種情報を取得することができる。
【００５２】
また、上記の例では、情報端末３からプリンター２に印刷データが供給されているが、プリンター２が情報端末３とは別のホスト装置に通信可能に接続されており、印刷データは当該ホスト装置からプリンター２に供給されてもよい。すなわち、情報端末３によってプリンター２の設定を行い、プリンター２への印刷データの供給は、情報端末３とは異なるホスト装置から行うことができる。
【符号の説明】
【００５３】
１…印刷システム、２…プリンター、３…情報端末、４…サーバー、８…台紙、９…ラベル、１０…ラベル用紙（印刷媒体）、１１…印刷ヘッド、１３…タッチパネル、１５…ネットワーク、１７…包装箱、１９…２次元コード、２１…サーバー制御部、２２…サーバー通信部、２３…記憶部、２４…媒体情報テーブル、２５…媒体情報供給部、３１…端末制御部、３２…第１通信部、３３…第２通信部、３４…カメラ、３６…プリンター設定プログラム、３７…ラベル印刷プログラム、４１…機種情報取得部、４２…ロール紙ＩＤ取得部（コード取得部）、４３…ロール紙ＩＤ送信部（コード送信部）、４４…媒体情報取得部、４５…報知部、４６…設定情報生成部、４７…設定情報送信部、４９…印刷データ生成部、５３…ロール紙ＩＤ取得画面、５４…入力欄、５５…カメラ起動ボタン、５６…媒体情報確認画面、５７…媒体情報表示欄、６０…設定完了画面、６５…プリンター制御部、６６…プリンター通信部、６７…設定記憶部、７０…搬送モーター、７１…ブラックマーク検出器、７２…ラベルギャップ検出器、７５…設定部、７６…印刷制御部。
【図１】
2017117272.tif 000003
【図２】
2017117272.tif 000004
【図３】
2017117272.tif 000005
【図４】
2017117272.tif 000006